(57)【特許請求の範囲】
【請求項１】
電子回路および表示器を含む内部部品と、
前記内部部品を収容する内部部品カバーであって側面から外側に張り出して先端部が下方に折り曲げられた張出部が設けられた内部部品カバーと一体に形成され、電源および負荷に接続するための端子を備えた端子ブロックと、
前記内部部品カバーを収容するケースと、
前記ケースに嵌合されて前記端子ブロックを覆う端子カバーとを備え、
前記端子カバーは、該端子カバーの端部が前記ケースの端部の内側に入り込んで該ケースと嵌合し、且つ、前記内部部品カバーに設けられた張出部の下方に折り曲げられた部分が前記ケースの端部と前記端子カバーの端部との間に挟み込まれていることを特徴とする電力量計。
【請求項２】
電子回路および表示器を含む内部部品と、
前記内部部品を収容する内部部品カバーであって側面から外側に張り出して先端部が下方に折り曲げられた張出部が設けられた内部部品カバーと、
電源および負荷に接続する端子を備えた端子ブロックと、
前記内部部品カバーを収容するケースと、
前記ケースに嵌合されて前記端子ブロックを覆う端子カバーとを備え、
前記端子カバーは、該端子カバーの端部が前記ケースの端部の内側に入り込んで該ケースと嵌合し、且つ、前記内部部品カバーに設けられた張出部の下方に折り曲げられた部分が前記ケースの端部と前記端子カバーの端部との間に挟み込まれていることを特徴とする電力量計。
【請求項３】
前記内部部品カバーを前記張出部の上方で前記ケースにねじ止めにより締結して内部部品を封印する締結部を備え、
前記締結部のねじから水が入り込んだ場合に、該水を、前記内部部品カバーに設けられた張出部の上外面から該張出部の下方に折り曲げられた部分の外面と前記ケースとの間を通って外部に導く経路が設けられていることを特徴とする請求項１または請求項２記載の電力量計。
【発明の詳細な説明】
【技術分野】
【０００１】
本発明は、需要家における消費電力を計測する電力量計に関し、特に電力量計の内部を浸水から保護する技術に関する。
【背景技術】
【０００２】
近年、電子式電力量計の普及に伴い、その低コスト化が求められている。また、近年の傾向として、電力量計の筐体にはデザイン性も求められている。従来の金属材料を加工して作製する筐体では、低コスト化およびデザイン性の向上は実現が困難であるため、プラスチック材料を使用して筐体を作製することが行われている。
【０００３】
例えば、特許文献１に開示された電力量計は、電力測定回路および電力量表示のための表示回路を内蔵する電力測定部と、この電力測定部に固着されて電源の供給側と負荷側の電力線を中継する端子ボックスとを覆うための検定封印カバーおよび電力封印カバーを備えている。
【０００４】
検定封印カバーおよび電力封印カバーは、需要家における取り付け環境に長期間耐えられる耐候性を有する材料、例えば、ポリカーボネートで作製され、且つ、電力測定部の電子回路や表示部を保護し、長期間にわたって密封性および防水性を確保できる構造を有する。検定封印カバーと電力封印カバーとは、端子ボックスに当接する部分において互いに嵌合するように成形されており、且つ、図示しないパッキンやＯリングが嵌合部の周囲に布設されることによって、組み立てが容易なシール構造が可能となっている。
【特許文献１】特開２００４−２４５７０４号公報
【発明の開示】
【発明が解決しようとする課題】
【０００５】
しかしながら、上述した従来の電力量計では、プラスチック材料を用いた低コスト化およびデザイン性の向上を、パッキンなどを用いた防水構造で実現しようとすると、プラスチック材料がパッキンなどの影響によって劣化し、その実現は困難であるという問題がある。
【０００６】
本発明は、上述した問題を解消するためになされたものであり、その課題は、プラスチック材料を用いて低コスト化およびデザイン性の向上を図った筐体の防水性能を向上させることができる電力量計を提供することにある。
【課題を解決するための手段】
【０００７】
上記課題を解決するために、本発明は、電子回路および表示器を含む内部部品と、内部部品を収容する内部部品カバーであって側面から外側に張り出して先端部が下方に折り曲げられた張出部が設けられた内部部品カバーと一体に形成され、電源および負荷に接続するための端子を備えた端子ブロックと、内部部品が収容された内部部品カバーを収容するケースと、ケースに嵌合されて端子ブロックを覆う端子カバーとを備え、端子カバーは、該端子カバーの端部がケースの端部の内側に入り込んで該ケースと嵌合し、且つ、内部部品カバーに設けられた張出部の下方に折り曲げられた部分がケースの端部と端子カバーの端部との間に挟み込まれていることを特徴とする。
【０００８】
また、本発明は、電子回路および表示器を含む内部部品と、内部部品を収容する内部部品カバーであって側面から外側に張り出して先端部が下方に折り曲げられた張出部が設けられた内部部品カバーと電源および負荷に接続する端子を備えた端子ブロックと、内部部品が収容された内部部品カバーを収容するケースと、ケースに嵌合されて端子ブロックを覆う端子カバーとを備え、端子カバーは、該端子カバーの端部がケースの端部の内側に入り込んで該ケースと嵌合し、且つ、内部部品カバーに設けられた張出部の下方に折り曲げられた部分がケースの端部と端子カバーの端部との間に挟み込まれていることを特徴とする。
【発明の効果】
【０００９】
本発明によれば、端子カバーは、その端部がケースの端部の内側に入り込んでそのケースと嵌合し、且つ、内部部品カバーに設けられた張出部の下方に折り曲げられた部分がケースの端部と端子カバーの端部との間に挟み込まれているので、外部から水が浸入したとしても、ケースと張出部の下方に折り曲げられた部分との間を通り、さらに、ケースと端子カバーとが嵌合している部分から外部に排出される。したがって、パッキンを使用する必要がないのでプラスチック材料の劣化を考慮する必要がなく、プラスチック材料を用いて低コスト化およびデザイン性の向上を図った筐体の防水性能を向上させることができる。
【００１０】
また、端子ブロックと内部部品カバーを分離しても、同様の作用および効果が得られる。
【発明を実施するための最良の形態】
【００１１】
以下、本発明の実施の形態を、図面を参照しながら詳細に説明する。
【実施例１】
【００１２】
まず、実施例１に係る電力量計の概略を説明する。図１は、本発明の実施例１に係る電力量計の概略の構成を分解して示す斜視図である。この電力量計は、ケース１、端子カバー２、端子ブロック３、内部部品カバー４および内部部品５から構成されている。
【００１３】
ケース１は、プラスチック材料から構成されており、電力量計の外観の上半分を形成する。このケース１は、内部部品カバー４に収容された内部部品５を収容する。このケース１には、内部部品の１つである表示器（図示は省略する）を見ることができるように、窓１１が設けられている。また、ケース１の前面には、締結部１２ａおよび１２ｂが形成されており、これら締結部１２ａおよび１２ｂには、内部部品カバー４に収容された内部部品５を検定封印するための検定封印ねじ６ａおよび６ｂが挿入されるねじ孔１３ａおよび１３ｂが設けられている。
【００１４】
なお、検定封印とは、日本電気計器検定所で行われるものであり、各需要家で計量される電力量に格差を生じないように各電力量計の精度を同一とするために、電力量計の内部計測回路の調整を行い、この後、外部からいたずら等されないように行うものである。
【００１５】
端子カバー２は、プラスチック材料から構成されており、電力量計の外観の下半分を形成する。この端子カバー２は、ケース１に嵌合されて端子ブロック３を覆う。この嵌合は、端子カバー２の端部２１がケース１の端部１４の内側に入り込むようにして行われる。また、端子カバー２の前面には、締結部２２ａおよび２２ｂが形成されており、これら締結部２２ａおよび２２ｂには、電力量計の電力封印を行うための電力封印ねじ７ａおよび７ｂが挿入されるねじ孔２３ａおよび２３ｂが設けられている。
【００１６】
なお、電力封印とは、電力量計が需要家に取り付けられて配線等が終了した時に行われるものであり、検定封印された電力量計が取り付けられた後、電力線の配線等が変えられて不正な計量がされないように行うものである。
【００１７】
端子ブロック３は、プラスチック材料から成るブロックに、電源および負荷に接続する電力線を固定するための端子３１が設けられて構成されている。この端子ブロック３は、電源の供給側から負荷側に至る電力線を中継するとともに、内部部品５に電源を供給する。端子ブロック３の側面には、電力封印ねじ７ａおよび７ｂが螺合されるねじ孔３２ａおよび３２ｂが設けられている。
【００１８】
内部部品カバー４は、プラスチック材料から構成されており、内部部品５を収容する。そして、内部部品５を収容した状態で端子ブロック３に取り付けられる（接続される）。この内部部品カバー４には、検定封印ねじ６ａおよび６ｂが螺合される有底ねじ孔４１ａおよび４１ｂが設けられている。なお、図１においては、内部部品カバー４の形状は簡略化して描いている（詳細は後述する）。
【００１９】
内部部品５は、電力量を測定するための電子回路を構成する電子部品および上述した表示器などを搭載した基板から構成されている。この内部部品５は、上述したように、内部部品カバー４に収容される。
【００２０】
次に、実施例１に係る電力量計の要部の詳細を説明する。図２（ａ）は、実施例１に係る電力量計が組み立てられた場合の詳細な構成を示す正面図であり、図２（ｂ）は、側断面図である。また、図３は、図２（ｂ）の丸印で囲った部分を拡大して示す拡大図である。
【００２１】
端子カバー２の端部２１は、図３に拡大して示すように、該端子カバー２がケース１に嵌合されるときに、ケース１の端部１４の内側に容易に入り込むことができるように、内側に傾斜して成形されている。
【００２２】
また、内部部品カバー４には、検定封印ねじ６ａおよび６ｂが螺合される有底ねじ孔４１ａおよび４１ｂの下方に、その側面から外側（ケース１側）に張り出し、先端部４３が下方に折り曲げられた張出部４２が形成されている。
【００２３】
ケース１と端子カバー２との嵌合は、次のようにして行われている。すなわち、端子カバー２の端部２１がケース１の端部１４の内側に入り込み、且つ、内部部品カバー４に設けられた張出部４２の下方に折り曲げられた先端部４３がケース１の端部１４と端子カバー２の端部２１との間に挟み込まれて嵌合されている。
【００２４】
上記のように構成される本発明の実施例１に係る電力量計においては、図３に矢印で示すように、雨や放水などによってケース１と端子カバー２とが嵌合する部分の上方から流れる水があっても電力量計の内部に入り込むことはない。
【００２５】
また、図４に矢印で示すように、風雨や放水などによってケース１と端子カバー２とが嵌合する部分の下方からの水があり、一部がケース１と端子カバー２との接合部分から内部に入ったとしても、張出部４２の先端部４３で浸入が阻止され、電力量計の内部に入り込むことはない。
【００２６】
また、図５に矢印で示すように、風雨や放水などによって締結部１２ａまたは１２ｂの検定封印ねじ６ａおよび６ｂと有底ねじ孔４１ａおよび４１ｂとの間に水が浸入した場合は、ケース１と内部部品カバー４との間から張出部４２の上外面から張出部４２の下方に折り曲げられた先端部４３とケース１との間を通って外部に排出されるので、電力量計の内部に入り込むことはない。
【００２７】
以上説明したように、本発明の実施例１に係る電力量計によれば、端子カバー２は、その端部２１がケース１の端部１４の内側に入り込んでそのケース１と嵌合し、且つ、内部部品カバー４に設けられた張出部４２の下方に折り曲げられた先端部４３がケース１の端部１４と端子カバー２の端部２１との間に挟み込まれているので、外部から水が浸入したとしても、電力量計の内部に入り込まれることはない。したがって、パッキンを使用する必要がないのでプラスチック材料の劣化を考慮する必要がなく、プラスチック材料を用いて低コスト化およびデザイン性の向上を図った筐体の防水性能を向上させることができる。
【００２８】
なお、上述した実施例１に係る電力量計は、内部部品カバー４の張出部４２の成形を容易にするために、端子ブロック３と内部部品カバー４とを別体に構成したが、図６に概略の構造を示すように、端子ブロック３と内部部品カバー４とを一体に構成することができる。この構成によれば、電力量計の組み立ての工程を減らすことができる。
【図面の簡単な説明】
【００２９】
【図１】本発明の実施例１に係る電力量計の概略の構成を分解して示す斜視図である。
【図２】本発明の実施例１に係る電力量計の詳細な構成を示す正面図および側断面図である。
【図３】図２（ｂ）の側断面図に示す丸印の部分を拡大して示す拡大図である。
【図４】本発明の実施例１に係る電力量計において下方からの水の浸入防止を説明するための図である。
【図５】本発明の実施例１に係る電力量計において締結部からの水の浸入防止を説明するための図である。
【図６】本発明の実施例１に係る電力量計の他の構成例を示す図である。
【符号の説明】
【００３０】
１  ケース
２  端子カバー
３  端子ブロック
４  内部部品カバー
５  内部部品
６ａ、６ｂ  検定封印ねじ
７ａ、７ｂ  電力封印ねじ
１１  窓
１２ａ、１２ｂ、２２ａ、２２ｂ  締結部
１３ａ、１３ｂ、２３ａ、２３ｂ、３２ａ、３２ｂ  ねじ孔
１４  ケースの端部
２１  端子カバーの端部
３１  端子
４１ａ、４１ｂ  有底ねじ孔
４２  張出部
４３  張出部の先端部
【図１】
0004929094.tif 000002
【図２】
0004929094.tif 000003
【図３】
0004929094.tif 000004
【図４】
0004929094.tif 000005
【図５】
0004929094.tif 000006
【図６】
0004929094.tif 000007